(57)【特許請求の範囲】
【請求項１】
筒状の外周壁の中間部に天壁を設け、該外周壁内面のうち天壁より下側部分に、雌ネジ部を備えるキャップにおいて、外周壁と天壁とが交差する部位の天壁に、天壁の厚肉部の肉厚より薄肉に形成した、薄肉部を形成すると共に、該天壁と前記外周壁とを連結するように、複数の補強リブを立設したことを特徴とするキャップ。
【請求項２】
前記天壁の上面に容器の口部の封緘蓋を破るための針体が形成されている請求項１記載のキャップ。
【請求項３】
前記外周壁の全周に一定間隔毎に縦リブが形成されている請求項１記載のキャップ。
【請求項４】
筒状の外周壁と、該外周壁の中間部に設けられた天壁とからなり、前記外周壁内面のうち天壁の下側部分に雌ネジ部を備えており、該雌ネジ部を医薬品、化粧品が充填された容器の口部に螺合し締め付けるキャップにおいて、
外周壁と天壁とが交差する部位の天壁に、天壁の厚肉部より薄肉の極薄肉部を形成し、
該極薄肉部を補強する複数の補強部を前記極薄肉部より厚肉で、かつ天壁の厚肉部より薄肉に形成し、
前記極薄肉部を円周方向に等間隔で、かつ補強部に挟まれるように配置していることを特徴とするキャップ。
【発明の詳細な説明】
【０００１】
【発明の属する技術分野】
この発明は、医薬品、化粧品等を充填するチューブ、ボトル等の容器の口部に螺合されるキャップに関し、キャップの成形後に発生するキャップ外周面のヒケを防止すると共に、外観上、美しいキャップに関する。
【０００２】
【従来の技術】
従来のキャップ５０は、図９に示すように、筒状の外周壁５１の中間部に天壁５２が設けられ、外周壁５１の内面のうち、天壁５２より下側部分に雌ネジ部５３を備えていた。そして、このようなキャップ５０は、通常射出成形法によって金型が量産されていた。
【０００３】
【発明が解決しようとする課題】
しかしながら、従来のキャップ５０にあっては、図９に示す外周壁５１と天壁５２との交差する部位５４の外周壁５１の側面に、ヒケ５５が発生し、キャップ５０の見栄えが頗る悪くなるという問題があった。これは、キャップ５０が金型から取出された後、自然冷却された場合に、天壁５２がその中心方向に収縮しようとして外周壁５１の素材を引張るために発生するもので、交差する部位５４の天壁５２の肉厚が厚い（断面積が大きい）場合に、収縮力が大きくなり、より顕著に素材を引張るため、大きなヒケが発生することが判明している。
【０００４】
この発明は、このような従来の課題に着目してなされたもので、外周壁と天壁との交差する部位の、外周壁の側面に発生するヒケを防止したキャップを提供することを目的とする。
【０００５】
【課題を解決するための手段】
この課題を解決するため、請求項１記載の発明に対応する手段は、筒状の外周壁の中間部に天壁を設け、外周壁内面のうち天壁より下側部分に、雌ネジ部を備えるキャップにおいて、外周壁とが交差する部位の天壁に、天壁の厚肉部の肉厚より薄肉に形成した、薄肉部を形成すると共に、天壁と外周壁とを連結するように、複数の補強リブを立設したことを特徴とする。
【０００６】
請求項４記載の発明に対応する手段は、筒状の外周壁と、該外周壁の中間部に設けられた天壁とからなり、前記外周壁内面のうち天壁の下側部分に雌ネジ部を備えており、該雌ネジ部を医薬品、化粧品が充填された容器の口部に螺合し締め付けるキャップにおいて、外周壁と天壁とが交差する部位の天壁に、天壁の厚肉部より薄肉の極薄肉部を形成し、該極薄肉部を補強する複数の補強部を前記極薄肉部より厚肉で、かつ天壁の厚肉部より薄肉に形成し、前記極薄肉部を円周方向に等間隔で、かつ補強部に挟まれるように配置していることを特徴とするものである。
【０００７】
【発明の実施の形態】
次に、この発明の実施の形態を図面に基づいて説明する。図１及び図２は、この出願に係る第１発明の実施の形態を示す図面である。外周壁１は筒状の外周壁であり、この外周壁１の略中間には、天壁２が形成されている。外周壁１には、全周に一定間隔毎に縦リブ１ａが形成され、外周壁１と天壁２とが交差する部位の天壁２には、円周方向に薄肉部２ａが形成されている。この薄肉部２ａの肉厚は、天壁２の中央部の厚肉部２ｂより薄肉に形成され、薄肉部２ａの肉厚／厚肉部２ｂの肉厚×１００＝２０〜８０％に構成されている。薄肉部２ａの形成は、天壁２ａの上面の肉厚を減少させる場合（図２参照）と、天壁２ａの下面、すなわち雌ねじ部１ｂの天面両隅の肉厚を減少させる（図示せず）場合とが考えられる。
【０００８】
そして、天壁２は、外周壁１に薄肉部２ａで連結されているから、キャップ３を構成する素材によっては、外周壁１と天壁２とが交差する部位の強度が弱くなる虞れがある。交差する部位の強度が弱いと、キャップ３の雌ネジ部１ｂがチューブ容器またはボトル容器等の口部に螺合される際に（図示されず）、不用意にキャップ３を強く締め付けた場合、このキャップ３の雌ネジ部１ｂの天面両隅から、天壁２の薄肉部２ａにかけてクラックが発生する虞れがある。
【０００９】
そこで、外周壁１と天壁２とが交差する部位の薄肉部２ａを補強するために、薄肉部２ａ上に、外周壁１と天壁２とを連結するように、複数の補強リブ４が立設されている。図１及び図２に示す第１発明の実施の形態においては、薄肉部２ａの円周上を、６等分して６箇所に補強リブ４が立設されている。この補強リブ４の数については、キャップ３を構成する素材の剛性、薄肉部２ａの強度を考慮して任意に決定することができる。また、補強リブ４の形状は、図２に示すように、断面三角形状の他、断面長方形、断面４分の１円弧形状等であってもよい。なお、図１に示すように、補強リブ４の中心線が、縦リブ１ａの谷形状の中心線と一致するように、補強リブ４が配設されることにより、外周壁１側面のヒケ発生をより効果的に防止することができる。
【００１０】
図３及び図４は、この出願に係る第２発明の実施の形態を示す図面である。この実施の形態の特徴は、キャップ１３の外周壁１０と天壁１２とが交差する部位の天壁１２には、円周方向に補強部１２ａが形成されている。この補強部１２ａの肉厚は、天壁１２の中央部の厚肉部２ｂより薄肉に形成され、補強部１２ａの肉厚／厚肉部２ｂの肉厚×１００＝２０〜８０％に構成されている。この補強部１２ａを挟んで、両側には円周上に、極薄肉部１２ｃが形成されている。極薄肉部１２ｃ／補強部１２ａ×１００＝２０〜８０％に構成されている。この第１実施の形態に用いられるキャップ１３の素材は、耐クラック性がある剛性の大きい素材が適する。
【００１１】
図５及び図６は、本発明の範囲外の例を示す図面である。この例の特徴は、キャップ２３の外周壁２０と天壁２２とが交差する部位の天壁２２には、円周方向に補強部２２ａが形成されている。この補強部２２ａの肉厚は、天壁２２の中央部の厚肉部２２ｂと同厚に形成されている。そして、この補強部２２ａを挟んで両側には、円周上に極薄肉部２２ｃが形成され、極薄肉部２２ｃ／補強部２２ａ×１００＝２０〜８０％に構成されている。なお、この例に用いられるキャップ２３の素材は実施の形態と同様に耐クラック性のある剛性の大きい素材が適する。
【００１２】
図７及び図８は、この出願に係る第１発明の変形例を示した図面であり、第１発明の実施の形態の構成と異なる点は、天壁２の上面にチューブ容器等の口部の封緘蓋を破るための針体５が形成されている点にある。その他の構成は、第１発明の実施の形態の構成と同一である。
【００１３】
次に、この発明の作用について説明する。第１発明において、外周壁１と天壁２との交差点の部位における天壁２に、薄肉部２ａを形成したから、キャップ３を金型で成形した後、自然冷却した場合、天壁２の薄肉部２ａの収縮力が小さく、外周壁１の側面の肉厚を天壁２の中心方向に引張る力が小さい。したがって、外周壁１の側面が、引張られてヒケが発生するのを防止できる。また、外周壁１と天壁２とを連結するように、複数の補強リブ４を形成したから、薄肉部２ａの部位が補強され、キャップ３の不用意な容器口部への締め付けによって、薄肉部２ａにクラックが発生するのを防止することができる。
【００１４】
また  第２発明において極薄肉部１２ｃ，２２ｃを、各々天壁１２，２２に設けたから、天壁１２，２２の収縮力が第１発明同様に小さくなり、外周壁１の側面の肉厚を、天壁２の中心方向へ引っ張る力が小さくなる。したがって、外周壁１に発生するヒケを防止することができる。また、第１発明と同様に複数の補強部１２ａ，２２ａによって、天壁１２，２２へのクラック発生が防止できる。
【００１５】
【発明の効果】
以上説明してきたように、この発明によれば、キャップの外周壁と天壁とが交差する部位において、外周壁の側面に発生するヒケを完全に防止でき、外観上、美しいキャップを量産することができる効果を奏する。
【図面の簡単な説明】
【図１】この発明に係る第１発明の実施の形態を示す平面図。
【図２】図１のＡ−Ａ線断面図。
【図３】この出願に係る第２発明の実施の形態を示す平面図。
【図４】図３のＢ−Ｂ線断面図。
【図５】本発明の範囲外の例を示す平面図。
【図６】図５のＣ−Ｃ線断面図。
【図７】この出願に係る第１発明の変形例を示した平面図。
【図８】図７のＤ−Ｄ線断面図。
【図９】従来のキャップを示す断面図。
【符号の説明】
１  １０  ２０  外周壁
１ｂ  １０ｂ  ２０ｂ  雌ネジ部
２  １２  ２２  天壁
２ａ  薄肉部
３  １３  ２３  キャップ
４  補強リブ
１２ａ  ２２ａ  補強部
１２ｃ  ２２ｃ  極薄肉部
【図１】
0004406894.tif 000002
【図２】
0004406894.tif 000003
【図３】
0004406894.tif 000004
【図４】
0004406894.tif 000005
【図５】
0004406894.tif 000006
【図６】
0004406894.tif 000007
【図７】
0004406894.tif 000008
【図８】
0004406894.tif 000009
【図９】
0004406894.tif 000010